(57)【特許請求の範囲】
【請求項１】
無線通信システムにおけるフィードバック情報の検波を決定するための装置であって、
変調シンボル及びパイロットシンボルをそれぞれ符号語に対応する直交ベクトル及びパイロット送信シンボルに相関させるための復調器と、
各符号語の相関値の絶対値の二乗を加算して、該加算の最大値を有する符号語を決定するためのチャンネルデコーダと、
を含む装置。
【請求項２】
前記復調器は、
受信されたフィードバック情報から各タイルを分離するための分離器と、
タイルの各々における変調シンボル及びパイロットシンボルを送信シンボル及びパイロット送信シンボルに相関させるための少なくとも１つの相関器であって、相関値の絶対値の二乗を計算する前記相関器と、
を含む請求項１に記載の装置。
【請求項３】
各タイルの各々に対して存在する少なくとも１つの相関器の数は、タイルごとの変調シンボル及びパイロットシンボルの数に等しい請求項２に記載の装置。
【請求項４】
前記チャンネルデコーダは、検波を行うべきか否かを決定するための検波決定器を備える請求項１に記載の装置。
【請求項５】
検波決定器は、加算の最大値と加算の平均値との間の差が所定の閾値以上である場合に、受信されたフィードバック情報が信頼できるということを決定し、加算の最大値と加算の平均値との間の差が所定の閾値よりも小さい場合には、受信されたフィードバック情報が信頼できないということを決定する請求項４に記載の装置。
【請求項６】
検波決定器は、受信されたフィードバック情報が信頼できる場合に、フィードバック情報上に検波を行うことを決定し、受信されたフィードバック情報が信頼できない場合に、フィードバック情報上に検波を行わないことを決定する請求項５に記載の装置。
【請求項７】
検波決定器は、
【数１】
0004405994.tif 000007
によって検波を行うか否かを決定する請求項４に記載の装置。
ここに、Ｙｍ，ｋは、ｍ番目のタイルにおけるｋ番目の副搬送波で受信されるシンボルを、Ｙ’ｍ，ｋ’は、ｍ番目のタイルにおけるｋ’番目の副搬送波上で受信されるパイロットシンボルを、Ｘｎ，ｍ，ｋは、ｍ番目のタイルにおけるｋ番目の副搬送波のためのｎ番目の符号語に対応する直交ベクトル（シンボル）を、Ｑｍ，ｋ’は、ｍ番目のタイルのｋ’番目の副搬送波のためのパイロット伝送シンボルを、ｎは、符号語インデックス（例えば、２４（ｍ＝０，．．．，１５））を、ｍはタイルインデックス（ｍ＝０，１，．．．，５）を、ｋは、副搬送波インデックス（ｋ＝０，１，．．．７）を、そしてｋ’は、パイロット副搬送波インデックスをそれぞれ示し、上付き文字＊は共役複素数を示す。
【請求項８】
フィードバック情報が信頼できる場合に、フィードバック情報上に検波を行うための検波部をさらに含む請求項６に記載の装置。
【請求項９】
無線通信システムにおけるフィードバック情報の検波を決定するための方法であって、
フィードバック信号が受信されると、副搬送波の所定数を有するタイルの各々を、前記フィードバック信号から分離する段階と、
タイルの各々における変調シンボル及びパイロットシンボルを、それぞれ、符号語に対応する直交ベクトル及び各タイルのためのパイロット伝送シンボルと相関させ、そして相関値の絶対値の二乗を計算する段階と、
各符号語ごとに相関値の絶対値の二乗を加算する段階と、
相関値の絶対値の二乗の加算値の最大値に対応する符号語を選択する段階と、
を含む方法。
【請求項１０】
検波を決定する段階は、
最大加算値と平均加算値との間の差を計算する段階と、
該差を所定の閾値と比較することによってフィードバック情報上に検波を行うか否かを決定する段階と、
を含む請求項９に記載の方法。
【請求項１１】
加算値の最大値と加算値の平均値との間の差が所定の閾値以上である場合に、フィードバック情報上に検波を行う段階をさらに含む請求項１０に記載の方法。
【請求項１２】
加算値の最大値と加算値の平均値との間の差が所定の閾値より小さい場合に、フィードバック情報を棄却する段階をさらに含む請求項１０に記載の方法。
【請求項１３】
検波を決定する段階は、
【数２】
0004405994.tif 000008
によって検波を行うか否かを決定する段階を含む請求項１０に記載の方法。
ここに、Ｙｍ，ｋは、ｍ番目のタイルにおけるｋ番目の副搬送波で受信されるシンボルを、Ｙ’ｍ，ｋ’は、ｍ番目のタイルにおけるｋ’番目の副搬送波上で受信されるパイロットシンボルを、Ｘｎ，ｍ，ｋは、ｍ番目のタイルにおけるｋ番目の副搬送波のためのｎ番目の符号語に対応する直交ベクトル（シンボル）を、Ｑｍ，ｋ’は、ｍ番目のタイルのｋ’番目の副搬送波のためのパイロット伝送シンボルを、ｎは、符号語インデックス（例えば、２４（ｍ＝０，．．．，１５））を、ｍはタイルインデックス（ｍ＝０，１，．．．，５）を、ｋは、副搬送波インデックス（ｋ＝０，１，．．．７）を、そしてｋ’は、パイロット副搬送波インデックスをそれぞれ示し、上付き文字＊は共役複素数を示す。
【発明の詳細な説明】
【技術分野】
【０００１】
本発明は広帯域無線通信システムでフィードバック情報を検波するための装置及び方法に関して、特に、広帯域無線通信システムでアップリンク高速フィードバック情報(Ｆａｓｔ  Ｆｅｅｄｂａｃｋ  Ｉｎｆｏｒｍａｔｉｏｎ)に含まれたデータシンボルとパイロットシンボルをすべて用いてフィードバック情報を検波するための装置及び方法に関するものである。
【背景技術】
【０００２】
高速の移動通信システムの基地局は、順方向チャンネル品質を示すアップリンク高速フィードバック情報を用いてパケットデータの伝送をスケジューリングし、伝送パラメーターを決定することによって端末に高速パケットデータサービスを提供する。すなわち、基地局は、複数の端末からアップリンク高速フィードバック信号が受信されると、このフィードバック情報を用いて端末の順方向チャンネル状態を確認する。その後、各端末のチャンネル状態情報によりスロットごとに最も良好な順方向チャンネル品質を有する端末を選択してパケットデータを伝送する。そして、選択された端末の順方向チャンネル品質により、伝送パラメーター、例えば、伝送速度(Ｄａｔａ  Ｒａｔｅ)、符号化率(Ｃｏｄｅ  Ｒａｔｅ)、変調方式(Ｍｏｄｕｌａｔｉｏｎ  Ｏｒｄｅｒ)を決定する。ここで、アップリンク高速フィードバック情報は、信号対雑音比(Ｓｉｇｎａｌ  ｔｏ  Ｎｏｉｓｅ  Ｒａｔｉｏ：以下、“ＳＮＲ”とする)、搬送波対干渉費(Ｃａｒｒｉｅｒ  ｔｏ  Ｉｎｔｅｒｆｅｒｅｎｃｅ  Ｒａｔｉｏ：以下、“Ｃ/Ｉ”とする)、帯域別差分ＳＮＲ、高速ＭＩＭＯ(Ｍｕｌｔｉ  Ｉｎｐｕｔ  Ｍｕｌｔｉ  Ｏｕｔｐｕｔ)フィードバック、モード選択フィードバックなどをすべて含む。例えば、直交周波数分割多重接続(Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ：ＯＦＤＭＡ)に基づく通信システムは、アップリンク高速フィードバック情報を伝送するための別途の物理的チャンネルが存在する。
【０００３】
このとき、基地局で順方向チャンネルの品質を判断するのに必須的に使用されることが端末で測定されたＣ/Ｉである。すなわち、端末は、Ｃ/Ｉ情報を測定してチャンネル状態情報チャンネル(Ｃｈａｎｎｅｌ  Ｑｕａｌｉｔｙ  Ｉｎｄｉｃａｔｏｒ  Ｃｈａｎｎｅｌ：以下、“ＣＱＩＣＨ”とする)である物理チャンネルを通じて基地局にフィードバックされる。したがって、基地局は、端末からＣＱＩＣＨを通じて受信されたＣ/Ｉを用いて各端末に伝送するためのデータをスケジューリングし、伝送パラメーターを決定する。
【０００４】
したがって、順方向リンクのデータ伝送率とセル処理量を決定するＣ/Ｉ情報、すなわちアップリンク高速フィードバック情報は、その量が多くはないが、通信システムの運用に非常に重要な役割を遂行するため、伝送に高い信頼性が保証されなければならない。しかしながら、オーバーヘッド比率を低減するために、この高速フィードバック情報を伝送するための物理的チャンネルには周波数-時間軸リソースが多く割り当てられないことが普通である。したがって、信頼性のある伝送のために効率的な検波方法が要求される。
【０００５】
高速フィードバック情報を伝送するためのチャンネルは、図１と図２に示すように構成される。ここで、図１はＯＰＵＳＣ(Ｏｐｔｉｏｎ  Ｐａｒｔｉａｌ  Ｕｓａｇｅ  ｏｆ  Ｓｕｂ-Ｃｈａｎｎｅｌ)チャンネルを示し、図２はＰＵＳＣチャンネルを示す。
【０００６】
図１は、一般的に基地局情報を受信するために割り当てられた３×３形態の周波数-時間軸リソースを示す。
図１に示すように、周波数-時間軸上の３×３個の副搬送波束(タイル(ｔｉｌｅ))の６個が割り当てられる(１００)。ここて、３×３個の副搬送波束１１０は、縁部の８個の副搬送波は変調シンボルを伝送し、中央の１個の副搬送波はパイロットシンボルを伝送する。
【０００７】
図２は、一般的に基地局情報を受信するために割り当てられた４×３形態の周波数-時間軸リソースを示す。
図２に示すように、周波数-時間軸上の４×３個の副搬送波束の６個が割り当てられる(２００)。ここで、４×３個の副搬送波束２１０は、縁部に該当する４個の副搬送波にパイロットシンボルを伝送し、残りの８個の副搬送波に変調シンボルを伝送する。
【０００８】
端末は、図１と図２に示すチャンネルを用いてアップリンク高速フィードバック情報を伝送する場合に、端末でアップリンク高速フィードバック情報データが発生すると、このフィードバック情報データに該当する符号語を非同期(Ｎｏｎ-Ｃｏｈｅｒｅｎｔ)変調して伝送シンボルを生成して伝送する。例えば、４ビットの情報データを受信すると、端末は図３に示すような符号語Ａ０，Ａ１，Ａ２，Ａ３，Ａ４，Ａ５を決定する。その後、副搬送波束に符号語に対する直交ベクトルを適用させる。すなわち、１番目の副搬送波束にはＡ０に該当する直交ベクトルを、２番目の副搬送波束にはＡ１に該当する直交ベクトルを、３番目の副搬送波束にはＡ２に該当する直交ベクトルを、…、最後の６番目の副搬送波束にはＡ５に該当する直交ベクトルを適用して非同期変調を遂行して伝送する。ここで、符号語に対する直交ベクトルは図５に示すようである。
【０００９】
上述したように図３と図４は、Ｍ-ａｒｙチャンネルエンコーダに伝送される符号語を示す。図３では、情報データビットが４ビットである場合に、２４(１６)個の符号語を示し、図４では情報データビットが６ビットである場合に、２６(６４)個の符号語を示す。また、図５は、各符号語に対する直交変調に使用される直交ベクトルを示す。ここで、
【数１】
0004405994.tif 000002
は、ＱＰＳＫ変調シンボルを示す。このとき、パイロットシンボルは、サービスする基地局と端末との間に予め定められた情報シンボルで、一般的にスクランブル符号と乗算された後に、ＢＰＳＫ(Ｂｉｎａｒｙ  Ｐｈａｓｅ  Ｓｈｉｆｔ  Ｋｅｙｉｎｇ)変調される。
【００１０】
以下に、基地局で上述した方法を用いて伝送されたアップリンク高速フィードバック情報の受信方法について説明する。基地局は、アップリンク高速フィードバック情報が受信される場合に、フィードバック情報の受信シンボルを同期復調を遂行し、受信シンボルに対する軟判定(Ｓｏｆｔ-Ｄｅｃｉｓｉｏｎ)値を算出する。基地局は、算出された軟判定値に対する符号語を判断してこれに該当するデータビットを出力する。
【００１１】
例えば、４ビットの情報データを用いる場合に、基地局はフィードバック情報が受信される場合に、図１の６個の副搬送波束の各々に含まれた８個の副搬送波に乗せられた変調シンボルと、各直交ベクトルに該当するシンボルの相関を取って各受信副搬送波のシンボルの相関値を算出する。下記の＜数２＞のように上記算出された相関値の絶対値自乗を算出する。
【００１２】
【数２】
0004405994.tif 000003
ここで、Ｘｋはｋ番目の副搬送波シンボルを、Ｙｋはｋ番目の副搬送波受信シンボルを、ｋは副搬送波シンボルのインデックスを、そして上付き文字＊は共役複素数を、それぞれ示す。
【００１３】
その後、４ビットの情報データを使用するため、１６(２４)個のすべての可能な符号語と、該当する直交ベクトルの相関値の絶対値自乗の和を各々算出してこれらの中で、最大値を求める。基地局は、最大値を有する符号語に該当する情報データビットを端末が伝送したフィードバック情報として認識する。
【００１４】
また、検波の信頼性を与えるために１６個の符号語に対する平均を計算し、下記の＜数３＞のように最大値と平均値との差が一定限界を超えると、前記情報データビットを信頼できると判断して検波する。
【００１５】
下記＜数３＞は、アップリンク高速フィードバック情報を検波するための過程を示す。
【数３】
0004405994.tif 000004
【００１６】
ここで、Ｙｍ，ｋはｍ番目の副搬送波束のｋ番目の副搬送波受信シンボルを、Ｘｎ，ｍ，ｋはｎ番目の可能な符号語に該当するｍ番目の副搬送波束のｋ番目の副搬送波シンボルを、ｎは符号語(例えば、２４(０〜１５))インデックスを、ｍは副搬送波束(６)のインデックスを、ｋは副搬送波シンボル(８)のインデックスを、そして上付き文字＊は共役複素数を、それぞれ示す。
【００１７】
上述したように、アップリンク高速フィードバック情報伝送にアップリンク副チャンネルが使用されるが、情報ビットの判定をする場合に、符号語に対する直交ベクトル情報のみを用いて復号するようになる。これは、１個の副チャンネルに対するすべての情報を利用しないため、最適の検波方法とならないという問題点があった。
【発明の開示】
【発明が解決しようとする課題】
【００１８】
したがって、上記のような従来技術の問題点を解決するために、本発明の目的は、ＯＦＤＭＡ方式を使用する広帯域無線通信システムで、アップリンク高速フィードバック情報を時間-周波数軸のリソースを用いて效率的に検波するための装置及び方法を提供することにある。
【００１９】
本発明の他の目的は、ＯＦＤＭＡ方式を使用する広帯域無線通信システムで、アップリンク高速フィードバック情報チャンネルを構成する一つの制御副チャンネル情報をすべて用いて検波するための装置及び方法を提供することにある。
【課題を解決するための手段】
【００２０】
上述の目的は、広帯域無線通信システムにおけるフィードバック情報の検波を決定するための装置及び方法を提供することによって達成される。
本発明の一態様によれば、広帯域無線通信システムにおけるフィードバック情報の検波を決定するための装置において、復調器は、受信されたフィードバック情報を担持するタイルの各々を、各可能な符号語におけるパイロットシンボルを含む直交ベクトルに相関させ、各タイルは所定数の副搬送波であり、そして相関値の絶対値の二乗を計算する。符号語の相関計算器は、各可能な符号語ごとにタイルの相関値の絶対値の二乗を加算する。検波決定器は、合計値の最大値に基づいてフィードバック情報上に検波を行うか否かを決定する。
【００２１】
本発明のもう１つの態様によれば、広帯域無線通信システムにおけるフィードバック情報の検波を決定するための方法において、フィードバック信号が受信されると、（タイルの各々が所定数の副搬送波である）タイルは、フィードバック信号から分離される。受信されたフィードバック情報を担持するタイルの各々は、各可能な符号語におけるパイロットシンボルを含む直交ベクトルと相関され；そして相関値の絶対値の二乗が計算される（各タイルは、一組の副搬送波である）。タイルの相関値の絶対値の二乗は、各可能な符号語ごとに加算される。加算値の最大値が選択され、加算値の平均値が計算され、そして、所定の閾値に従ってフィードバック情報上に検波を行うか否かが決定される。
【発明の効果】
【００２２】
本発明は、ＯＦＤＭＡ方式の広帯域無線通信システムで、アップリンク高速フィードバック情報の伝送に割り当てられた１個の制御副チャンネル信号である変調シンボルとパイロット情報をすべて用いてフィードバック情報を検波することによって、正確な情報伝送と安定したシステム運用が可能である効果がある。
【発明を実施するための最良の形態】
【００２３】
以下、本発明の望ましい実施形態を添付の図面を参照して詳細に説明する。
下記に、本発明に関連した公知の機能或いは構成に関する具体的な説明が本発明の要旨を不明にすると判断された場合に、その詳細な説明を省略する。
本発明は、広帯域無線通信システムで、アップリンク高速フィードバック情報チャンネルを構成する制御副チャンネル情報をすべて用いてフィードバック情報を検波するための技術について説明する。以下の説明は、ＯＦＤＭＡ方式を使用する広帯域無線通信システムを一例として説明する。
【００２４】
図６は、本発明によるフィードバック情報を伝送するための端末のブロック構成図である。
図６に示すように、端末は、チャンネルエンコーダ６０１と、非同期変調器(Ｎｏｎｃｏｈｅｒｅｎｔ  Ｍｏｄｕｌａｔｏｒ)６０３と、ＩＦＦＴ(Ｉｎｖｅｒｓ  Ｆａｓｔ  Ｆｏｕｒｉｅｒ  Ｔｒａｎｓｆｏｒｍ)演算器６０５と、デジタル/アナログ変換器(Ｄ/Ａ  Ｃｏｎｖｅｒｔｅｒ)６０７と、ＲＦ(Ｒａｄｉｏ  Ｆｒｅｑｕｅｎｃｙ)処理器６０９とを含んで構成される。
【００２５】
チャンネルエンコーダ６０１は、端末からアップリンク高速フィードバック情報データを受信し、このフィードバック情報データに該当する符号語を決定して出力する。非同期変調器６０３は、チャンネルエンコーダ６０１から受信した符号語を非同期変調を通じて符号語に該当する伝送シンボルを求める。
【００２６】
ＩＦＦＴ演算器６０５は、非同期変調器６０３から受信した伝送シンボルを逆高速フーリエ変換して時間領域のサンプルデータ(ＯＦＤＭシンボル)を出力する。デジタル/アナログ変換器６０７は、ＩＦＦＴ演算器６０５から受信したサンプルデータをアナログ信号に変換して出力する。ＲＦ処理器６０９は、デジタル/アナログ変換器６０７から受信したアナログ信号をＲＦ信号に変換してアンテナを通じて伝送する。
【００２７】
図７は、本発明によるフィードバック情報を受信するための基地局のブロック構成図である。
図７に示すように、基地局は、ＲＦ処理器７０１と、アナログ/デジタル変換器７０３と、ＦＦＴ演算器７０５と、非同期復調器７０７と、チャンネルデコーダ７０９とを含んで構成される。
【００２８】
まず、ＲＦ処理器７０１は、アンテナを通じて受信されるＲＦ信号を基底帯域アナログ信号に変換する。アナログ/デジタル変換器７０３は、ＲＦ処理器７０１から受信されるアナログ信号をデジタル信号に変換して出力する。ＦＦＴ演算器７０５は、アナログ/デジタル変換器７０３から受信される時間領域のサンプルデータを高速フーリエ変換して周波数領域のデータを出力する。
【００２９】
非同期復調器７０７は、ＦＦＴ演算器７０５から受信される受信シンボルを非同期復調して軟判定(Ｓｏｆｔ-Ｄｅｃｉｓｉｏｎ)値を算出する。チャンネルデコーダ７０９は、非同期復調器７０７から軟判定値を受信し、受信されたフィードバック情報の信頼性を判定する。もし、フィードバック情報を信頼できる場合に、軟判定値を該当符号化率で復号化し、軟判定値に対する符号語を判断してデータを復調する(図８でより詳細に説明する)。
【００３０】
図８は、本発明による基地局で、フィードバック情報の検波を決定するためのブロック構成図である。以下の説明では、図１に示した３×３個の副搬送波束を使用し、４ビットの情報データを使用すると仮定する。
図８に示すように、基地局で非同期復調器７０７は、タイル分離器(Ｔｉｌｅ  Ｄｅ-ａｌｌｏｃａｔｉｏｎ)８０１と、相関値抽出器８０３，８０４，８０５，８０６とを含んで構成される。また、チャンネルデコーダ７０９は、符号語整列器(Ｃｏｄｅｗｏｒｄ  Ａｒｒａｎｇｅ)８０７と、検波決定器８１３と、検波器８１５とを含んで構成される。
【００３１】
タイル分離器８０１は、図７のＦＦＴ演算器７０５でフーリエ変換されたフィードバック信号の受信シンボルを受信し、この受信シンボルを３×３個の副搬送波束、すなわちタイル(Ｔｉｌｅ）を６個に分離して出力する。例えば、図１と図２に示したように、一つの副チャンネルは６個のタイルを分離するため、副チャンネルでそれぞれのタイルを分離する。
【００３２】
相関値抽出器８０３，８０４，８０５，８０６は、タイル分離器８０１で分離されたタイルに含まれた各副搬送波(トーン)と各符号語に対する相関値を求め、この相関値の絶対値自乗を算出する。すなわち、下記の＜数４＞のように１番目のタイルから８個の可能な直交ベクトルとパイロットシンボルに対する相関値を求めて絶対値自乗を算出する。このとき、相関値抽出器８０３，８０４，８０５，８０６は、各タイルに含まれた副搬送波(トーン）の個数(８個の変調シンボル＋１個のパイロットシンボル)だけ存在する。ここで、相関値は、受信された８個の副搬送波に乗せられた変調シンボルと１個のパイロットシンボルからなる３×３の副搬送波束と、各直交ベクトルに該当するシンボルとパイロット伝送シンボルからなる３×３の副搬送波束との相関を取って求める。
【００３３】
下記の＜数４＞は、ｍ番目のタイルに含まれた直交ベクトルとパイロットシンボルの相関値の絶対値自乗を算出する式である。
【数４】
0004405994.tif 000005
【００３４】
ここで、Ｙｍ，ｋはｍ番目の副搬送波束のｋ番目の副搬送波受信シンボルを、Ｙ’ｍ，ｋ’はｍ番目の副搬送波束のｋ’番目のパイロット受信シンボルを、Ｘｍ，ｋはｍ番目の副搬送波束のｋ番目の副搬送波シンボルを、Ｑｍ，ｋ’はｍ番目の副搬送波束のｋ’番目のパイロット伝送シンボルを、ｍは副搬送波束(６)のインデックスを、ｋは副搬送波シンボル(８)のインデックスを、ｋ’はパイロットシンボルのインデックスを、そして上付き文字＊は共役複素数を、それぞれ示す。
【００３５】
符号語整列器８０７は、相関値抽出器８０３，８０４，８０５，８０６から受信される各タイルの相関値の絶対値自乗を加算器８０９，８１１で加算し、１６(０〜１５)個の符号語に対する相関値の絶対値自乗の和を算出する。その後、符号語整列器８０７は、１６個の符号語に対する平均(ＡＶＧ)を求める。
【００３６】
検波決定器８１３は、受信されたフィードバック信号の信頼性を判断するために、符号語整列器８０７から受信した１６個の符号語の相関値の絶対値自乗の中で最大値(ＭＡＸ）を選択する。検波決定器８１３は、最大値と１６個の符号語に対する平均(ＡＶＧ）の差を予め定められた基準値と比較する。すなわち、検波決定器８１３は、下記の＜数５＞を用いてフィードバック情報の検波可否を決定する。
【００３７】
下記の＜数５＞は、フィードバック情報の検波を決定するための式である。
【数５】
0004405994.tif 000006
【００３８】
ここで、Ｙｍ、ｋはｍ番目の副搬送波束のｋ番目の副搬送波受信シンボルを、Ｙ’ｍ、ｋ’はｍ番目の副搬送波束のｋ’番目のパイロット受信シンボルを、Ｘｎ，ｍ，ｋはｎ番目の可能な符号語に該当するｍ番目の副搬送波束のｋ番目の副搬送波シンボルを、Ｑｍ、ｋ’はｍ番目の副搬送波束のｋ’番目のパイロット伝送シンボルを、ｎは符号語(例えば、２４(０〜１５))インデックスを、ｍは副搬送波束(６)のインデックスを、ｋは副搬送波シンボル(８)のインデックスを、ｋ’はパイロットシンボルのインデックスを、そして、上付き文字＊は共役複素数を、それぞれ示す。
【００３９】
もし、検波決定器８１３が上記の＜数５＞を満たすと、すなわち、ＭＡＸとＡＶＧとの差が基準値以上である場合((ＭＡＸ-ＡＶＧ)≧Ｔｈ)、最大値を有する符号語に該当する情報データが信頼できる水準であると判断して検波器８１５に伝送する。検波器８１５は、検波決定器８１３から受信されたフィードバック情報の検波を遂行する。
【００４０】
一方、検波決定器８１３が上記の＜数５＞を満たさないと、すなわち、ＭＡＸとＡＶＧとの差が基準値より小さい場合((ＭＡＸ-ＡＶＧ)<Ｔｈ)、フィードバック情報の受信環境が良くないと判断し、フィードバック信号の検波を遂行しない。
【００４１】
図９は、本発明の実施形態によるフィードバック情報を検波するための手順を示すフローチャートである。以下の説明では、図１に示した３×３個の副搬送波束を使用し、４ビットの情報データを使用すると仮定する。
【００４２】
図９に示すように、基地局は、ステップ９０１で、アップリンク高速フィードバック信号が受信されるかを確認する。フィードバック信号が受信されると、基地局は、スエップ９０３で、受信された時間領域のフィードバック信号をフーリエ変換して周波数領域信号に変換する。
【００４３】
基地局は、ステップ９０５で、フーリエ変換されたフィードバック信号を各タイルに分離する。例えば、図１又は図２に示したように、高速フィードバックチャンネルは６個のタイルを含むため、各タイルを分離する。
【００４４】
このフィードバックチャンネルのタイルを分離した後に、基地局は、ステップ９０７で、＜数４＞によって分離されたタイルに含まれた８個の副搬送波に乗せられた変調シンボルと１個のパイロットシンボルに対して相関値を求め、その相関値の絶対値自乗を算出する。ここで、相関値は、受信された８個の副搬送波に乗せられた変調シンボルと１個のパイロットシンボルからなる３×３の副搬送波束と、各符号語に該当する直交ベクトルとパイロット伝送シンボルからなる３×３の副搬送波束との相関を取って求める。
【００４５】
タイルの相関値の絶対値自乗を算出した後に、基地局は、ステップ９０９で、算出した相関値の絶対値自乗を加算して１６個の符号語に対応するパイロットを含む直交ベクトルの相関値の絶対値自乗の和を算出する。その後、各符号語の相関値の絶対値自乗の中で最大値(ＭＡＸ）を算出し、１６個の符号語に対する平均(ＡＶＧ）を算出する。
【００４６】
基地局は、ステップ９１１で、フィードバック信号を信頼できるか否かを判断するために、上記の＜数５＞を用いて最大値と平均値との差と予め定められた基準値を比較する。万一、最大値と平均値との差が基準値より小さい場合((ＭＡＸ-ＡＶＧ)<Ｔｈ)、基地局は、ステップ９１５に進行する。基地局は、ステップ９１５で、フィードバック信号が信頼できないと判断し、フィードバック信号の検波を遂行せずにフィードバック信号を除去する。
【００４７】
ステップ９１１の結果、最大値と平均値との差が基準値以上である場合((ＭＡＸ-ＡＶＧ)≧Ｔｈ)、基地局は、ステップ９１３に進行する。基地局は、ステップ９１３で、最大値を有する符号語に対する情報データが信頼できると判断して検波を遂行する。
【００４８】
上記のような手順を遂行した後に、基地局は、本アルゴリズムを終了する。
上記では、３×３個の副搬送波束の場合に、８個の可能な直交ベクトルとパイロットシンボルに対する相関値とを算出し、高速フィードバック情報を検波する方法を説明した。他の例として、４×３個の副搬送波束の場合に、図２に示したように、縁部に該当する４個の副搬送波にパイロットを伝送し、残りの８個の副搬送波に変調シンボルを伝送する。したがって、８個の可能な直交ベクトルと４個のパイロットシンボルに対する相関値を算出し、高速フィードバック情報の検波を遂行する。
【００４９】
また、６ビットの情報データを使用する場合に、６４個のすべての可能な符号語に対応するパイロットを含む直交ベクトルの相関値を算出し、高速フィードバック情報の検波を遂行する。
【００５０】
以上、本発明の詳細な説明においては具体的な実施形態に関して説明したが、形式や細部についての様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００５１】
【図１】一般的に基地局情報受信のために割り当てられた３×３形態の周波数-時間軸のリソースを示す図である。
【図２】一般的に基地局情報受信のために割り当てられた４×３形態の周波数-時間軸のリソースを示す図である。
【図３】一般的に４ビットの情報データに対するチャンネルエンコーダの出力符号語を示す図である。
【図４】一般的に６ビットの情報データに対するチャンネルエンコーダの出力符号語を示す図である。
【図５】一般的に変調に使用される直交ベクトルを示す図である。
【図６】本発明によるフィードバック情報を伝送するための端末のブロック構成図である。
【図７】本発明によるフィードバック情報を受信するための基地局のブロック構成図である。
【図８】本発明による基地局でフィードバック情報の検波を決定するためのブロック構成図である。
【図９】本発明の実施形態によるフィードバック情報を検波するための手順を示すフローチャートである。
【符号の説明】
【００５２】
６０１      チャンネルエンコーダ
６０３      非同期変調器
６０５      ＩＦＦＴ演算器
６０７      デジタル/アナログ変換器
６０９      ＲＦ処理器
７０１      ＲＦ処理器
７０３      アナログ/デジタル変換器
７０５      ＦＦＴ演算器
７０７      非同期復調器
７０９      チャンネルデコーダ
８０１      タイル分離器
８０３，８０４，８０５，８０６      相関値抽出器
８０７      符号語整列器
８０９，８１１      加算器
８１３      検波決定器
８１５      検波器
【図１】
0004405994.tif 000009
【図２】
0004405994.tif 000010
【図３】
0004405994.tif 000011
【図４】
0004405994.tif 000012
【図５】
0004405994.tif 000013
【図６】
0004405994.tif 000014
【図７】
0004405994.tif 000015
【図８】
0004405994.tif 000016
【図９】
0004405994.tif 000017